【手続補正書】
【提出日】平成25年10月30日(2013.10.30)
【手続補正１】
【補正対象書類名】特許請求の範囲
【補正対象項目名】全文
【補正方法】変更
【補正の内容】
【特許請求の範囲】
【請求項１】
ネットワーク接続可能な記憶装置と、案内サーバと、クライアントデバイスとがネットワークを介して接続されているネットワークストレージシステムであって、
前記クライアントデバイスは、
前記案内サーバに対して前記記憶装置への通信開始を要求する接続要求部と、
前記記憶装置からの問い合わせを受信し、前記問い合わせに対する応答として、前記記憶装置に対するデータの操作要求を送信する操作要求部と、
を備え、
前記案内サーバは、
前記記憶装置からの問い合わせを受信する案内処理部であって、前記クライアントデバイスからの前記通信開始の要求がない場合に、前記問い合わせに対する応答として、前記通信開始の要求がない旨の情報を送信し、前記通信開始の要求が有る場合に、前記問い合わせに対する応答として、当該クライアントデバイスの宛先を送信する案内処理部を備え、
前記記憶装置は、
前記案内サーバに対して、前記クライアントデバイスの宛先を問い合わせ、前記宛先を取得する宛先取得部と、
取得された前記宛先を有する前記クライアントデバイスに対して、自身に対する前記操作要求を問い合わせ、前記操作要求を取得する操作要求取得部と、
取得された前記操作要求に基づいて、前記クライアントデバイスとの間で、データの送信と受信の少なくとも一方を行う要求送信部と、
を備える、ネットワークストレージシステム。
【請求項２】
請求項１記載のネットワークストレージシステムであって、
前記記憶装置の前記要求送信部は、前記クライアントデバイスに対して、
前記取得された前記操作要求に基づく要求と、前記取得された前記操作要求に基づいて前記記憶装置内で処理されたデータと、の少なくとも一方を送信する、ネットワークストレージシステム。
【請求項３】
請求項１または２記載のネットワークストレージシステムであって、
前記記憶装置の前記操作要求取得部は、
取得された前記宛先に対する前記操作要求の問い合わせに対する応答が所定の時間得られなかった場合は、同一の宛先に対して前記操作要求の再問い合わせを行う、ネットワークストレージシステム。
【請求項４】
請求項３記載のネットワークストレージシステムであって、さらに、
前記記憶装置と、前記クライアントデバイスとの間のデータ転送を中継するためのリレーサーバを備え、
前記記憶装置の前記操作要求取得部は、
前記再問い合わせに対する応答が所定の時間得られなかった場合は、前記リレーサーバに対して、取得された前記宛先とのデータ転送の中継を要求する、ネットワークストレージシステム。
【請求項５】
請求項１ないし４のいずれか一項記載のネットワークストレージシステムであって、
前記記憶装置の前記操作要求取得部は、
取得された前記宛先に対して、定期的に前記操作要求を問い合わせる、ネットワークストレージシステム。
【請求項６】
請求項１ないし５のいずれか一項記載のネットワークストレージシステムであって、
前記記憶装置は、さらに、前記宛先取得部が取得した宛先を記憶する宛先記憶部を備え、
前記操作要求取得部は、前記宛先記憶部に記憶された宛先を用いて、前記クライアントデバイスに対して前記操作要求を問い合わせる、ネットワークストレージシステム。
【請求項７】
請求項１ないし６のいずれか一項記載のネットワークストレージシステムであって、
前記操作要求は、リストの取得の要求と、アップロードの要求と、ダウンロードの要求と、ファイルまたはフォルダの新規作成の要求と、ファイルまたはフォルダの削除の要求と、のうちのいずれかである、ネットワークストレージシステム。
【請求項８】
ネットワーク接続可能な記憶装置と、案内サーバと、クライアントデバイスとがネットワークを介して接続されているネットワークストレージシステムにおけるデータ操作方法であって、
（ａ）前記クライアントデバイスが、前記案内サーバに対して前記記憶装置への通信開始を要求する工程と、
（ｂ）前記記憶装置が、前記案内サーバに対して、前記クライアントデバイスの宛先を問い合わせる工程と、
（ｃ）前記案内サーバが、前記クライアントデバイスからの前記通信開始の要求がない場合に、前記問い合わせに対する応答として、前記通信開始の要求がない旨の情報を送信し、前記通信開始の要求が有る場合に、前記問い合わせに対する応答として、当該クライアントデバイスの宛先を送信する工程と、
（ｄ）前記記憶装置が、前記送信された前記クライアントデバイスの宛先を取得する工程と、
（ｅ）前記記憶装置が、前記取得された前記宛先を有する前記クライアントデバイスに対して、自身に対するデータの操作要求を問い合わせる工程と、
（ｆ）前記クライアントデバイスが、前記問い合わせに対する応答として、前記記憶装置に対する前記操作要求を送信する工程と、
（ｇ）前記記憶装置が、前記送信された前記操作要求を取得する工程と、
（ｈ）前記記憶装置が、前記工程（ｇ）により取得された前記操作要求に基づいて、前記クライアントデバイスとの間で、データの送信と受信の少なくとも一方を行う工程と、
を備える、データ操作方法。
【請求項９】
記憶装置であって、
ネットワークを介して接続されている案内サーバに対して、ネットワークを介して接続されているクライアントデバイスの宛先を問い合わせ、前記宛先を取得する宛先取得部と、
取得された前記宛先を有する前記クライアントデバイスに対して、自身に対するデータの操作要求を問い合わせ、前記操作要求を取得する操作要求取得部と、
取得された前記操作要求に基づいて、前記クライアントデバイスとの間で、データの送信と受信の少なくとも一方を行う要求送信部と、
を備える、記憶装置。
【請求項１０】
クライアントデバイスを制御するためのコンピュータプログラムであって、
ネットワークを介して接続されている案内サーバに対して前記記憶装置への通信開始を要求する接続要求機能と、
ネットワークを介して接続されている記憶装置に対するデータの操作要求を取得する取得機能と、
前記記憶装置からの問い合わせを受信し、前記問い合わせに対する応答として、前記取得機能により取得された前記操作要求を送信する操作要求機能と、
を備える、コンピュータプログラム。
【手続補正２】
【補正対象書類名】明細書
【補正対象項目名】０００８
【補正方法】変更
【補正の内容】
【０００８】
本発明は、上述の課題の少なくとも一部を解決するためになされたものであり、以下の形態として実現することができる。ネットワーク接続可能な記憶装置と、案内サーバと、クライアントデバイスとがネットワークを介して接続されているネットワークストレージシステムであって、前記クライアントデバイスは、前記案内サーバに対して前記記憶装置への通信開始を要求する接続要求部と、前記記憶装置からの問い合わせを受信し、前記問い合わせに対する応答として、前記記憶装置に対するデータの操作要求を送信する操作要求部と、を備え、前記案内サーバは、前記記憶装置からの問い合わせを受信する案内処理部であって、前記クライアントデバイスからの前記通信開始の要求がない場合に、前記問い合わせに対する応答として、前記通信開始の要求がない旨の情報を送信し、前記通信開始の要求が有る場合に、前記問い合わせに対する応答として、当該クライアントデバイスの宛先を送信する案内処理部を備え、前記記憶装置は、前記案内サーバに対して、前記クライアントデバイスの宛先を問い合わせ、前記宛先を取得する宛先取得部と、取得された前記宛先を有する前記クライアントデバイスに対して、自身に対する前記操作要求を問い合わせ、前記操作要求を取得する操作要求取得部と、取得された前記操作要求に基づいて、前記クライアントデバイスとの間で、データの送信と受信の少なくとも一方を行う要求送信部と、を備える、ネットワークストレージシステム。そのほか、本発明は、以下の形態又は適用例として実現することが可能である。
【手続補正３】
【補正対象書類名】明細書
【補正対象項目名】００６７
【補正方法】変更
【補正の内容】
【００６７】
図１１に示すように、ＧＵＩから通信を開始する旨の入力を受け付けた場合（ステップＳ４００）に、クライアント３０は、案内サーバ２０に対して通信開始を要求するパケットＰＴ３を送信する（ステップＳ４０２）。パケットＰＴ３は、送信元にクライアント３０のグローバルＩＰアドレスが、宛先に案内サーバ２０のグローバルＩＰアドレスが、データ部分にクライアント３０のＩＰアドレス「ＧＩＰ３０」と、クライアント３０が接続を要求するＮＡＳ１０の識別子（例えば、ＮＡＳ１０の名称など）とが、それぞれ格納されている。パケットＰＴ３送信後、クライアント３０は、自身のファイルサーバモジュール３１８を起動させる（ステップＳ７００）。
【手続補正４】
【補正対象書類名】図面
【補正対象項目名】図１１
【補正方法】変更
【補正の内容】
【図１１】
2013088998.tif 000001
【手続補正５】
【補正対象書類名】図面
【補正対象項目名】図１３
【補正方法】変更
【補正の内容】
【図１３】
2013088998.tif 000002